(57)【要約】【課題】十分な耐衝撃性能を有し、電磁波反射層を設けることなく、取付対象が鉄骨等の金属製材料等であってもＩＣタグの動作不良を起こさない、優れたＩＣタグ保持具を提供する。【解決手段】ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、前記保持具本体は、基体と蓋体とを備え、基体における保持部は、基体中央板の上面中央に柱状部を形成し、該柱状部の上端面は、蓋体の蓋体基板の底面と当接する高さを有し、該柱状部の上端面にＩＣタグを保持するための凹部を形成し、取付対象物の表面から柱状部における凹部底面までの距離が取付対象物の有する電磁波阻害範囲より大きいＩＣタグ保持具を、解決手段とする。【選択図】図１４
2009151652.tif 000002
【特許請求の範囲】
【請求項１】
ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、
前記保持具本体は、基体と蓋体とを備え、
基体における保持部は、基体の中央に柱状部を形成し、該柱状部の上端面は、蓋体の蓋体基板の底面と当接する高さを有し、該柱状部の上端面にＩＣタグを保持するための格納凹部を形成し、
取付対象物の表面から柱状部における凹部底面までの距離が取付対象物の有する電磁波阻害範囲より大きいことを特徴とするＩＣタグ保持具。
【請求項２】
保持具用面ファスナーは、ファスナー基板と、該ファスナー基板の上面に形成される突条と、該ファスナー基板の下面に敷設される係合子を備え、
基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、
蓋体は、蓋体基板の底面に、前記基体の基体係合部と係合する蓋体係合部と、基体の係合溝の他端の開口部を閉塞するための閉塞壁を備え、
基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞したことを特徴とする請求項１記載のＩＣタグ保持具。
【請求項３】
基体の基体中央板の下面左右縁側には、該基体中央板の底面よりも下方へ張り出す張り出し部を備え、左右の張り出し部相互の対向する内側面間の寸法Ｗ１と保持具用面ファスナーのファスナー基板の幅Ｗ２を略同寸法としたことを特徴とする請求項２記載のＩＣタグ保持具。
【請求項４】
ファスナー基板は、合成樹脂製とし、ファスナー基板の突条は、少なくとも左右の二本の突条を備え、前記左右の突条の上端を夫々ファスナー基板の側方へ傾斜した形状とし、該傾斜した突条の上端をファスナー基板の中央側へ弾性変形させた状態で、突条を基体の係合溝へ取付けた構成としたことを特徴とする請求項２又は３記載のＩＣタグ保持具。
【請求項５】
保持具用面ファスナーは、ファスナー基板と該ファスナー基板の下面に敷設される係合子を備え、基体の底面とファスナー基板を一体とし、ＩＣタグを保持した状態で、基体と蓋体とが固着一体としてなることを特徴とする請求項１記載のＩＣタグ保持具。
【請求項６】
基体は、上部において円周状に開口する基体溝部を備え、該基体溝部の内側を保持部２１とし、基体溝部に隣接する外側を基体溶着部とし、
蓋体は、底面の中央部の外周に蓋体底面凹部を備え、蓋体底面凹部のうち外側を蓋体溶着部とし、
基体溶着部と蓋体溶着部とが溶融一体となり、蓋体の底面の中央部と基体の上端面とが当接したことを特徴とする請求項５記載のＩＣタグ保持具。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）による無線データ通信を実現するＩＣタグを用いた在庫管理において使用され、在庫管理対象である鉄骨等の金属製部材、木材、通函、移動棚等に対してＩＣタグを具備させるためのＩＣタグ保持具に関する。
【背景技術】
【０００２】
近年、商品の物流管理や在庫管理等を容易とするために、ＩＣタグが利用される。ＩＣタグは、電子情報の記録媒体であり、リーダライタ装置を用いて外部から電子情報を読み取り、新たな情報を書き込むことができる。このためＩＣタグの利用によって、情報の取得、管理が容易となる利益がある。ＩＣタグはそのままでは管理対象物に取付けることができないため、ＩＣタグの取付手段を管理対象物に設けることが行われている。
【０００３】
このようなＩＣタグの取付手段は、種々の公知の取付手段を利用することができる。例えば、商品管理若しくは物流管理を行うものとしては、衣類を対象とするものとして、クリーニングにおける衣類管理に使用されるＩＣタグを、面ファスナーを有する衣類に取り付けるためのＩＣタグ取付具であって、耐熱性、耐摩耗性、柔軟性に優れたシート状の基材の内部にＩＣタグを埋め込み、前記基体の一面側に面ファスナー片側片を固着したことを特徴とするＩＣタグ取付具（例えば、特許文献１参照。）が公知である。
【０００４】
また、物流管理を行うものとして、上下方向にて対向配置される一対の水平板部と、これら水平板部相互を所定間隔に隔置して一体的に連結すべく左右方向にて対向配置される一対の起立板部とを少なくとも備えたケース本体と、該ケース本体におけるいずれか一方の水平板部の内側面との間に非接触型ＩＣカードを収納してケース本体に対して出入を自在に差し込まれる棚板とで形成し、ケース本体に両面テープや面ファスナーなどからなる相手部材への取付手段を備え、前記水平板部には電磁波反射層を設けたことを特徴とする非接触ＩＣカードのための介装用保持ケース（例えば、特許文献２参照。）が公知である。
【０００５】
【特許文献１】特開２００６−３１８３２０号公報
【特許文献２】特開２０００−２０７５１１号公報  （第３頁第３欄第１８行乃至第２５行）
【発明の開示】
【発明が解決しようとする課題】
【０００６】
ＩＣタグの取付手段の一つとして用いられる面ファスナーは、管理対象物に対する着脱の容易性を有するため、種々の管理に適する。また、ＩＣタグは、上記したように、電子情報の記録媒体であり、精密部品であることから、ＩＣタグ取付具には、基本的に十分な耐久性が求められる。
【０００７】
このため、特許文献１では、クリーニングにおいてＩＣタグを使用するため、ＩＣタグ取付具には、耐熱性、耐摩耗性、柔軟性が要求され、これらの要件を満たすシート基材を用いる必要があった。しかしながら、例えば、鉄骨や木材、通函、移動棚といった、取扱い時や輸送時等に他物との衝突や接触が頻繁に生ずる環境下では、上記シート基材では十分ではなく、前記した柔軟性とは相反する頑強な耐衝撃性能が要求される。即ち、当該構成においては、鉄骨、木材等を管理する用途には、適さないものであった。
【０００８】
また、上記特許文献１に係る面ファスナーを備えたＩＣタグ取付具は、その面ファスナー手段を用いて対象物に装着するためには、ＩＣタグの取付対象となる衣服に、面ファスナーを備えたものでなければならず、更に、その面ファスナーの大きさもＩＣタグ取付具が剥がれないだけの十分な接触面積を備えたものでなければならない。また、クリーニングという用途上、衣服に新たに面ファスナーを縫着等によって追加することはできないから、特許文献１に係る面ファスナーを備えたＩＣタグ取付具は、これらの要件を偶然にも備えた衣服でなければ使用することができない。更に、衣服に設けられた面ファスナーの係合子のサイズは、衣服によってまちまちであり、特許文献１に係る面ファスナーを備えたＩＣタグ取付具における面ファスナーの係合子と必ずしも十分な係着力を発揮するとはいえない。
【０００９】
更に、取付対象が生地のみであればよいが、取付対象が衣服に付随する金具であったり、取付対象が生地であっても金具が隣接する状況下では、ＩＣタグが磁場による影響を受け、ＩＣタグが正常に動作しないことがある。
【００１０】
一方、特許文献２に係る非接触ＩＣカードのための介装用保持ケースは、水平板部に電磁波反射層を備えており、当該構成によってＩＣカードを正常動作させることができる。しかしながら、電磁波反射層の形成は生産材料コストの上昇、生産工程の増加、製造工程中の不良発生率の上昇を招来し、結果的に製品価格の上昇を引き起こす。
【００１１】
本発明は以上の事情に鑑みてなされたものであり、十分な耐衝撃性能を有し、電磁波反射層を設けることなく、取付対象が鉄骨等の金属製材料等であってもＩＣタグの動作不良を起こさない、優れたＩＣタグ保持具を提供することを、発明が解決しようとする課題とする。
【００１２】
また、本発明は、ＩＣタグ取付具の消耗を抑えることが望まれていることから、前記課題を解決することを前提として、面ファスナーを着脱手段とするＩＣタグ保持具において、耐衝撃性が要求される環境下で使用することができ、ＩＣタグの安定した動作を可能とし、且つ、面ファスナーが消耗しても、容易に交換可能とすることで、半永久的な使用を可能とする、優れたＩＣタグ取付具を提供することを、併せて、発明が解決しようとする課題とする。
【課題を解決するための手段】
【００１３】
本発明は、ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、前記保持具本体は、基体と蓋体とを備え、基体における保持部は、基体の中央に柱状部を形成し、該柱状部の上端面は、蓋体の蓋体基板の底面と当接する高さを有し、該柱状部の上端面にＩＣタグを保持するための格納凹部を形成し、取付対象物の表面から柱状部における凹部底面までの距離が取付対象物の有する電磁波阻害範囲より大きいことを特徴とするＩＣタグ保持具の提供を、課題を解決するための手段とする。
【００１４】
また、本発明は、上記主発明の構成に加えて、保持具用面ファスナーは、ファスナー基板と、該ファスナー基板の上面に形成される突条と、該ファスナー基板の下面に敷設される係合子を備え、基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞したことを特徴とするＩＣタグ保持具を、課題を解決するための手段とする。
【００１５】
更に、本発明は、上記主発明の構成に加えて、保持具用面ファスナーは、ファスナー基板と、該ファスナー基板の上面に形成される突条と、該ファスナー基板の下面に敷設される係合子を備え、基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞し、基体の基体中央板の下面左右縁側には、該基体中央板の底面よりも下方へ張り出す張り出し部を備え、左右の張り出し部相互の対向する内側面間の寸法Ｗ１と保持具用面ファスナーのファスナー基板の幅Ｗ２を略同寸法としたことを特徴とするＩＣタグ保持具を、課題を解決するための手段とする。
【００１６】
また、本発明は、上記主発明の構成に加えて、保持具用面ファスナーは、ファスナー基板と、該ファスナー基板の上面に形成される突条と、該ファスナー基板の下面に敷設される係合子を備え、基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞し、ファスナー基板は、合成樹脂製とし、ファスナー基板の突条は、少なくとも左右の二本の突条を備え、前記左右の突条の上端を夫々ファスナー基板の側方へ傾斜した形状とし、該傾斜した突条の上端をファスナー基板の中央側へ弾性変形させた状態で、突条を基体の係合溝へ取付けた構成としたＩＣタグ保持具を、課題を解決するための手段とする。
【００１７】
更に、本発明は、上記主発明の構成に加えて、保持具用面ファスナーは、ファスナー基板と該ファスナー基板の下面に敷設される係合子を備え、基体の底面とファスナー基板を一体とし、ＩＣタグを保持した状態で、基体と蓋体とが固着一体としてなることを特徴とするＩＣタグ保持具を、課題を解決するための手段とする。ここで、「基体の底面とファスナー基板を一体とし、」とは、基体とファスナー基板とを溶着する構成のみならず、基体と保持具用面ファスナーを一体成形し、基体の底面とファスナー基板が一体成形される構成を含む。
【００１８】
また、本発明は、上記主発明の構成に加えて、基体は、上部において円周状に開口する基体溝部を備え、該基体溝部の内側を保持部２１とし、基体溝部に隣接する外側を基体溶着部とし、蓋体は、底面の中央部の外周に蓋体底面凹部を備え、蓋体底面凹部のうち外側を蓋体溶着部とし、基体溶着部と蓋体溶着部とが溶融一体となり、蓋体の底面の中央部と基体の上端面とが当接したことを特徴とするＩＣタグ保持具を、課題を解決するための手段とする。
【発明の効果】
【００１９】
本発明の請求項１に係る発明によれば、ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、前記保持具本体は、基体と蓋体とを備え、基体における保持部は、基体の中央に柱状部を形成し、該柱状部の上端面は、蓋体の蓋体基板の底面と当接する高さを有し、該柱状部の上端面にＩＣタグを保持するための格納凹部を形成したことから、基体における柱状部が蓋体と当接して梁若しくは芯としての役割を果たし、耐衝撃性を向上させることができ、また、取付対象物の表面から柱状部における凹部底面までの距離が取付対象物の有する電磁波阻害範囲より大きいものとしたことで、柱状部の上端に形成されたＩＣタグが電磁波による阻害を受けず、電磁波反射層や電磁波吸収層等を形成することもない。これによって、ＩＣタグは衝撃からも電磁波からも守られた状態で安定した動作を行うことができる。
【００２０】
請求項２に係る発明によれば、上記請求項１に係る発明の構成を備えた上で、保持具用面ファスナーは、ファスナー基板と、該ファスナー基板の上面に形成される突条と、該ファスナー基板の下面に敷設される係合子を備え、基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞したことから、通常離脱しない状態で係合された、基体の基体係合部と蓋体の蓋体係合部との係合を解除して蓋体を外し、消耗した保持具用面ファスナーをスライドさせることで、当該保持具用面ファスナーを簡単に基体の係合溝から取り外すことができ、新たな保持具用面ファスナーの突条を基体の係合溝へ差し込みスライドさせ、基体の基体係合部と蓋体の蓋体係合部を係合することで、極めて、簡単に消耗した保持具用面ファスナーの交換を行い、面ファスナーの係合機能を保持することができ、半永久的にＩＣタグ保持具を使用できる。
【００２１】
また、請求項２に係る発明によれば、保持具用面ファスナーのみならず不具合が生じたＩＣタグの交換も可能となる。即ち、通常離脱しない状態で係合された、基体の基体係合部と蓋体の蓋体係合部との係合を解除して蓋体を外し、ＩＣタグの交換を行うことができる。
【００２２】
請求項３に係る発明によれば、上記請求項２に係る発明の構成に加えて、基体の基体中央板の下面左右縁側には、該基体中央板の底面よりも下方へ張り出す張り出し部を備え、左右の張り出し部相互の対向する内側面間の寸法Ｗ１と保持具用面ファスナーのファスナー基板の幅Ｗ２を略同寸法としたことにより、ガイド側壁の張り出し部と保持具用面ファスナーのファスナー基板の側端面とが当接して、ファスナー基板の側方へのズレや、該ズレによってファスナー基板が離脱することを防止できる。
【００２３】
請求項４に係る発明によれば、上記請求項２に係る発明の構成に加えて、保持具用面ファスナーは、ファスナー基板と、該ファスナー基板の上面に形成される突条と、該ファスナー基板の下面に敷設される係合子を備え、基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞し、ファスナー基板は、合成樹脂製とし、ファスナー基板の突条は、少なくとも左右の二本の突条を備え、前記左右の突条の上端を夫々ファスナー基板の側方へ傾斜した形状とし、該傾斜した突条の上端をファスナー基板の中央側へ弾性変形させた状態で、突条を基体の係合溝へ取付ける構成としたから、突条と基体の係合溝とが係合した状態において、常に突条が弾性変形状態から復帰すべく生ずる復原力によって側方へ負荷をかけることとなり、当該負荷によって、突条と基体の係合溝との係合がより強固となり、ファスナー基板のズレや不用意な離脱を防止することができる。
【００２４】
請求項５に係る発明によれば、上記請求項１に係る発明の構成に加えて、保持具用面ファスナーは、ファスナー基板と該ファスナー基板の下面に敷設される係合子を備え、基体の底面とファスナー基板を固着一体とし、ＩＣタグを保持した状態で、基体と蓋体とが固着一体としてなることから、上記請求項１に係る発明の作用効果を得た上で、蓋体と保持具用面ファスナーの離脱を招来しない構成とすることで、耐衝撃性能を著しく向上させることができる。
【００２５】
請求項６に係る発明によれば、上記請求項５の構成において、基体は、上部において円周状に開口する基体溝部を備え、該基体溝部の内側を保持部とし、基体溝部に隣接する外側を基体溶着部とし、蓋体は、底面の中央部の外周に蓋体底面凹部を備え、蓋体底面凹部のうち外側を蓋体溶着部とし、基体溶着部と蓋体溶着部とが溶融一体となり、蓋体の底面の中央部と基体の上端面とが当接した構成としたことから、上記請求項１及び請求項５の作用効果を奏するものとした上で、基体と蓋体との溶着時において、蓋体の底面中央部が、基体の上端面に当接する状態まで、基体溶着部と蓋体溶着部を圧接することで、基体の縁部と蓋体の底面の縁部が当接し、且つ、蓋体底面凹部と基体溝部の空間が繋がり、その後蓋体底面凹部が消滅して、溶融した樹脂が、基体溝部側へ移動して溶着が完了するから、溶着時の保持具本体の変形が防止され、ＩＣタグに熱の影響を与えることなく、基体と蓋体とが強固にした構成とすることができる。
【発明を実施するための最良の形態】
【００２６】
ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、
前記保持具本体は、基体と蓋体とを備え、
基体は、基体中央板と、該基体中央板上に設けられる保持部と、前記蓋体と係合するための基体係合部と、前記ファスナー基板の突条が嵌合する係合溝と、係合溝の一端の開口部を塞ぐ突当壁とを備え、基体における保持部は、基体の中央に柱状部を形成し、該柱状部の上端面は、蓋体の蓋体基板の底面と当接する高さを有し、該柱状部の上端面にＩＣタグを保持するための格納凹部を形成して、基体における柱状部が蓋体と当接して梁若しくは芯としての役割を果たすことで耐衝撃性を向上させ、
蓋体は、蓋体基板の底面に、前記基体の基体係合部と係合する蓋体係合部と、基体の係合溝の他端の開口部を閉塞するための閉塞壁を備え、基体の係合溝の前記他端の開口部から保持具用面ファスナーの突条を差し込みスライドさせて基体に保持具用面ファスナーを取付け、基体の基体係合部と蓋体の蓋体係合部を係合し、蓋体の閉塞壁で基体の係合溝の他端の開口部を閉塞したことで、通常離脱しない状態で係合された、基体の基体係合部と蓋体の蓋体係合部との係合を解除して蓋体を外し、消耗した保持具用面ファスナーをスライドさせることで、当該保持具用面ファスナーを簡単に基体の係合溝から取り外すことができ、新たな保持具用面ファスナーの突条を基体の係合溝へ差し込みスライドさせ、基体の基体係合部と蓋体の蓋体係合部を係合することで、極めて、簡単に消耗した保持具用面ファスナーの交換を行い、面ファスナーの係合機能を保持することができ、半永久的にＩＣタグ保持具を使用でき、
基体の基体中央板の下面左右縁側には、該基体中央板の底面よりも下方へ張り出す張り出し部を備え、左右の張り出し部相互の対向する内側面間の寸法Ｗ１と保持具用面ファスナーのファスナー基板の幅Ｗ２を略同寸法とすることで、ガイド側壁の張り出し部と保持具用面ファスナーのファスナー基板の側端面とが当接して、ファスナー基板の側方へのズレや、該ズレによってファスナー基板が離脱することを防止し、
保持具用面ファスナーは、合成樹脂製のファスナー基板と、該ファスナー基板の上面に形成される少なくとも左右の二本の突条と、該ファスナー基板の下面に敷設される係合子を備え、左右の突条の上端を夫々ファスナー基板の側方へ傾斜した形状とし、該傾斜した突条の上端をファスナー基板の中央側へ弾性変形させた状態で、突条を基体の係合溝へ取付けた構成としたことで、突条と基体の係合溝とが係合した状態において、常に突条が弾性変形状態から復帰すべく生ずる復原力によって側方へ負荷をかけることとなり、当該負荷によって、突条と基体の係合溝との係合がより強固となり、ファスナー基板のズレや不用意な離脱を防止でき、
取付対象物の表面から柱状部における凹部底面までの距離が取付対象物の有する電磁波阻害範囲より大きいものとして、柱状部の上端に形成されたＩＣタグが電磁波による阻害を受けず、電磁波反射層や電磁波吸収層等を形成することもなく、ＩＣタグは衝撃からも電磁波からも守られた状態で安定した動作を行える、優れたＩＣタグ保持具の提供を実現した。
【００２７】
また、ＩＣタグを保持する保持具本体と、取付対象物への取付手段とを備え、前記取付手段は、取付対象物に取着した対象物用面ファスナーに対して係合する保持具用面ファスナーとしたＩＣタグ保持具において、
前記保持具本体は、基体と蓋体とを備え、
基体における保持部は、基体の中央に柱状部を形成し、該柱状部の上端面は、蓋体の蓋体基板の底面と当接する高さを有し、該柱状部の上端面にＩＣタグを保持するための格納凹部を形成し、保持具用面ファスナーは、ファスナー基板と該ファスナー基板の下面に敷設される係合子を備え、基体の底面とファスナー基板を固着一体とし、ＩＣタグを保持した状態で、基体と蓋体とが固着一体として、基体における柱状部が蓋体と当接して梁若しくは芯としての役割を果たすことで耐衝撃性を向上させ、
取付対象物の表面から柱状部における凹部底面までの距離が取付対象物の有する電磁波阻害範囲より大きいものとして、柱状部の上端に形成されたＩＣタグが電磁波による阻害を受けず、電磁波反射層や電磁波吸収層等を形成することもなく、ＩＣタグは衝撃からも電磁波からも守られた状態で安定した動作を行える、優れたＩＣタグ保持具の提供を実現した。
【実施例１】
【００２８】
図１は本発明の実施例１に係るＩＣタグ保持具ＳにおけるＩＣタグ格納前の分解状態を示す斜視図、図２は同実施例１に係るＩＣタグ保持具Ｓの（１）正面図及び（２）背面図、図３は同実施例１に係るＩＣタグ保持具Ｓの（１）右側面図（左側面図は右側面図と対称につき省略。）及び（２）平面図、図４は同実施例１に係るＩＣタグ保持具Ｓの（１）底面図及び（２）Ａ−Ａ断面図、図５は同実施例１に係るＩＣタグ保持具Ｓにおける基体２のＢ−Ｂ断面図である。図６は本発明の実施例１に係るＩＣタグ保持具Ｓにおける基体２の（１）正面図及び（２）背面図、図７は同実施例１に係るＩＣタグ保持具Ｓにおける基体２の（１）右側面図（左側面図は右側面図と対称につき省略。）及び（２）平面図、図８は同実施例１に係るＩＣタグ保持具Ｓにおける基体２の（１）底面図及び（２）Ｃ−Ｃ断面図である。図９は本発明の実施例１に係るＩＣタグ保持具Ｓにおける蓋体３の（１）正面図及び（２）背面図、図１０は同実施例１に係るＩＣタグ保持具Ｓにおける蓋体３の（１）右側面図（左側面図は右側面図と対称につき省略。）及び（２）平面図、図１１は同実施例１に係るＩＣタグ保持具Ｓにおける蓋体３の底面図、Ｄ−Ｄ断面図及びＥ−Ｅ断面図である。図１２は本発明の実施例１に係るＩＣタグ保持具Ｓにおける保持具用面ファスナーの（１）正面図及び（２）右側面図（左側面図は右側面図と同一につき省略。）、図１３は同実施例１に係るＩＣタグ保持具Ｓにおける保持具用面ファスナーの（１）平面図及び（２）底面図である。図１４は本発明の実施例１に係るＩＣタグ保持具Ｓを（１）取付対象物７に取着する状態を示す説明図、（２）取付対象物に取着した状態を示す一部断面とした説明図である。である。図１５は本発明の他の実施例に係るＩＣタグ保持具ＳにおけるＩＣタグ格納前の分解状態を示す斜視図である。
【００２９】
本発明の実施例に係るＩＣタグ保持具Ｓは、図１乃至図５及び図１２に示すように、合成樹脂製の保持具本体１と、合成樹脂製の保持具用面ファスナー４とからなる、奥行き約１３ｍｍ、幅１５ｍｍ、高さ１０ｍｍ程度のＩＣタグ保持具Ｓであり、５ｍｍ四方程度の大きさのＩＣタグ５を保持するものである。
【００３０】
本実施例１に係る保持具本体１は、相互に係脱可能なポリプロピレン製の基体２及び蓋体３からなる。以下に、基体２及び蓋体３について説明する。尚、本保持具本体１を使用する際には、前記保持具用面ファスナー４と係合する対象物用面ファスナーが６必要となる。図１４に示すように、対象物用面ファスナー６は、取付対象物７に接着される。ファスナー基板６２の上面に雌係合子６０を備えており、下面に取付対象物７への接着手段として接着剤層６１を備えたものである。接着手段は、取付対象物７と対象物用面ファスナー６との間に接着剤を塗布する構成とすることもできる。
【００３１】
保持具本体１を構成する基体２は、図６乃至図８に示すように、基体中央板２０と、該基体中央板２０上の中央に設けられる保持部２１と、基体中央板２０の上面２００の左右に対向して設けられる二本の基体係合部２５と、前記基体中央板２０の底面２３に設けられる係合溝２２とを備える。係合溝２２は、図６に示すように、底面２３の中央側及び左右縁側に相互に平行して三本形成してある。各係合溝２２の係合溝幅寸法２２０は溝内幅寸法２２１よりも小さい寸法で設けてある。
【００３２】
保持部２１は、基体中央板２０の上面２００の中央に柱状部２１０を形成し、該柱状部２１０の上端面２１１は、蓋体３との係合時において、蓋体基板３０の底面３００と当接する高さとしている。
そして、柱状部２１０の上端面２１１には、ＩＣタグ５を保持するための格納凹部２１２と、取出補助部２１３を形成してある。ここで、基体２の底面２３から格納凹部２１２の凹部底面２１４までの距離ｈ１は、６．５ｍｍに設定してある。取出補助部２１３は、格納凹部の一部を左右側方へ延設した凹部形状であり、保持されたＩＣタグ５を取出す際に、指や取出し用の道具等を差し込み可能な状態とし、取出し操作を容易とする。
【００３３】
また、前記基体２の基体中央板２０の底面２３のうち後側縁部と左右縁部には、底面２３よりも下方へ張り出させた張り出し部２６、２４を形成してある。左右の張り出し部２４、２４相互の対向する内側面間の寸法Ｗ１は、保持具用面ファスナー４の幅寸法Ｗ２と略同寸法としている。（図３（２）参照。）
後側縁部に形成した張り出し部２６の内側面は、前記係合溝２２の一端（後端）の開口部２２２を塞ぐ突当壁２７として機能する。（図８（１）（２）参照。）
【００３４】
前記基体係合部２５は、基体中央板２０から上方へ延設され、先端に係合爪２５０を備えている。
【００３５】
本発明の実施例に係る蓋体３は、図９乃至図１１に示すように、蓋体３は、蓋体基板３０と、該蓋体基板３０の左右側部に形成される蓋体係合部３５と、蓋体基板３０の底面中央に形成される嵌合凹部３２と、蓋体基板３０の底面３００前側縁から垂下される閉塞壁３３を備えた構成である。
【００３６】
嵌合凹部３２は、該嵌合凹部３２の内面（即ち、蓋体３の底面３００の一部）が基体２の保持部２１と嵌合し、且つ保持部２１の上端が嵌合凹部３２の内面と当接する寸法で形成してある。
【００３７】
本発明の実施例に係る保持具用面ファスナー４は、図１２及び図１３に示すように、長尺のファスナー基板４０と、該ファスナー基板４０の上面４００に形成される突条４１と、該ファスナー基板４０の下面４０１に敷設される雄係合子４２を一体成形してなるテープ状面ファスナーを長さ１０ｍｍ程度に切断して得られる。本実施例における雄係合子４２は、中央及び下端の双方の左右にフック４２０、４２１を形成したものである。中央のフック４２０と下端のフック４２１は大きさが異なり、下端のフック４２１は中央のフック４２０よりも小さいものとしている。
【００３８】
前記突条４１は、ファスナー基板４０の長手方向に連続して、中央、左側、右側の三本を平行して形成してある。突条４１の上端は断面Ｔ字状となる突条抜止部４１０を形成してある。図１及び図１２に示すように、左側及び右側の二本の突条４１は、その突条抜止部４１０を縁側（側方）へ傾斜させてある。左側及び右側の二本の突条４１は、同図１の矢印Ｐで示すように、側方から中央へ指で中央側へ押すことで、突条抜止部４１０が内側へ弾性変形できる。
【００３９】
本実施例における蓋体係合部３５は、前記基体係合部２５の係合爪２５０に対応した、係合段部３５０を形成してなる。
【００４０】
以上に示した、基体２及び蓋体３からなる保持具本体１と、保持具用面ファスナー４との組立及びＩＣタグ５の保持方法について、以下に説明する。
【００４１】
基体２の前縁側に開口する係合溝２２の開口部に対して、保持具用面ファスナー４の突条４１を指で内側へ弾性変形させながら差込み、差し込んだ突条４１の先端が、基体２の突当壁２７に当接する程度まで、保持具用面ファスナー４をスライドさせて、基体２に保持具用面ファスナー４を取付ける。これによって、基体２の底面２３から格納凹部２１２の凹部底面２１４までの距離ｈ１と前記底面２３から突出する保持具用面ファスナー４のファスナー基板４０の突出量ｈ２によって、取付対象物から格納凹部２１２の凹部底面２１４までの距離Ｈは、７ｍｍ程度確保される。
そして、保持具用面ファスナー４をスライドさせることで、基体２の基体係合部２５と蓋体３の蓋体係合部３５が係合され、係合子の係脱時に生ずる負荷に対して、十分な引っ張り強度を有することとなる。
【００４２】
そして、左右の張り出し部２４、２４相互の対向する内側面間の寸法Ｗ１は、保持具用面ファスナー４の幅寸法Ｗ２と略同寸法としていることから、保持具用面ファスナー４のファスナー基板４０の側面が、張り出し部２４の内側面に当接する。このため、ファスナー基板４０が側方から外力によって捲くれ上がらず、保持具用面ファスナー４が基体２から離脱することがないという利点を有する。
【００４３】
次に、ＩＣタグ５を、基体２の保持部２１に形成された格納凹部２１２内に嵌め込む。
この状態で、基体２の上方から蓋体３を被せる。基体２の基体係合部２５に形成した係合爪２５０と、蓋体３の蓋体係合部３５の係合段部３５０とを係合させる。係合に伴って、基体２の保持部２１と蓋体３の蓋体基板３０の底面３００とが当接し、蓋体３の閉塞壁３３が基体２の係合溝２２の他端の開口部２２３を閉塞し、ＩＣタグ保持具Ｓが一体として完成する。
【００４４】
以下に、本実施例における保持されたＩＣタグ５の交換、及び、消耗した保持具用面ファスナー４の交換の手順を示す。
（ａ）先ず、基体２の基体係合部２５の係合爪２５０を側方へスライドさせる。
（ｂ）次に、該係合爪２５０と蓋体３の蓋体係合部３５の係合段部３５０との係合を解除する。
（ｃ）蓋体３を基体２から持ち上げることで、基体２と蓋体３を分離する。
（ｄ）ＩＣタグ５の交換であれば、基体２の上面２００に露呈したＩＣタグ５を取出す。また、消耗した保持具用面ファスナー４の交換であれば、保持具用面ファスナー４をスライドさせて、基体２の係合溝２２から取り外す。
（ｅ）新たな、ＩＣタグ５若しくは、保持具用面ファスナー４を逆手順で取付ける。
（ｆ）基体２の上方から蓋体３を被せる。基体２の基体係合部２５に形成した係合爪２５０と、蓋体３の蓋体係合部３５の係合段部３５０とを係合させる。係合に伴って、基体２の保持部２１と蓋体３の蓋体基板３０の底面３００とが当接し、蓋体３の閉塞壁３３が基体２の係合溝２２の他端の開口部２２３を閉塞し、交換作業が完了する。
以上に示すように、本発明に係るＩＣタグ保持具Ｓは、非常に簡単な交換作業で、常に、優れた耐衝撃性及び面ファスナーの係着力を発揮することができる。
【００４５】
そして、以上の構成によって、保持具用面ファスナー４は、ファスナー基板４０の前端側については蓋体３の閉塞壁３３によってスライドが阻止され、ファスナー基板４０の後端側については基体２の突当壁２７によって、スライドが阻止され、ファスナー基板４０の四方（前端側、後端側、左右端側）のいずれにおいても、前記閉塞壁３３、張り出し部２４、２６によって、外力による捲くれ上がりを生じないものとすることができる。
【００４６】
また、上記したように、左側及び右側の二本の突条４１は、その突条抜止部４１０を縁側（側方）へ傾斜させてある。このため、弾性変形されて嵌入された突条４１は、その復元力が側方への押圧力となり、係合溝２２と突条抜止部４１０との係合がより強固となり、基体２に対して保持具用面ファスナー４をより強固に取付けることができる。
【００４７】
更に、ＩＣタグ５は、保持部２１における格納凹部２１２に格納され、更にその周囲を蓋体基板３０で被覆することで、耐衝撃性能を有する、安全確実な保持を実現することができる。そして、当該構成によって、ＩＣタグ保持具Ｓは中実とすることができるため、更に耐衝撃性能を向上させることができる。
【００４８】
尚、本実施例１において、基体係合部２５は雄側の係合手段、蓋体係合部３５は雌側の係合手段として機能しているが、基体係合部２５を雌側、蓋体係合部３５を雄側の係合手段とすることができる。しかしながら、本実施例においては、蓋体３の上部位置で、基体係合部２５と蓋体係合部３５の脱着操作を行うことができるため、作業性に優れている。
【００４９】
また、本発明は、上記実施例１に限るものではない。例えば、基体２の係合溝２２の断面形状とこれに対応する保持具用面ファスナー４の突条４１の断面形状が実施例に開示したＴ字形状のものに限らず、図１３に示す上底寸法（溝内幅寸法２２１）が下底（係合溝幅寸法２２０）より大きい台形形状等とすることができる。尚、実施例に係る断面Ｔ字形状の突条４１は、図１３に開示する台形形状の突条４１よりも柔軟性が高く、長期の使用においても突条の根元部分に亀裂等を生じ難い利点を有する。
【００５０】
また、保持具用面ファスナー４の雄係合子４２は、種々の公知の形状のもの（例えば、合成樹脂線材の先端を湾曲させたフック形状のもの等）を使用することができる。尚、本実施例における保持具用面ファスナーの雄係合子４２は、上記したように、中央及び下端の双方の左右にフック４２０、４２１を形成し、下端のフック４２１は中央のフック４２０よりも小さいものとしたことから、対応する対象物用面ファスナー６の雌係合子６０のループのサイズに対して柔軟に対応することができ、下端側のフック４２１が微細であることで、雌係合子間に入りやすく、係合操作が容易に行える。また、保持具用面ファスナー４が常に雄係合子４２を有することで、例えば、取付対象物６の表面にパイル地や起毛した不織布等が設けられていれば、対象物用面ファスナー６を用いることなく、直接パイル生地や起毛した不織布のループに対して雄係合子４２を係合することができる。
【００５１】
更に、本発明の実施例における保持具用面ファスナー４の突条４１は、上記したように、中央、左側、右側の三本を平行して形成しているが、本発明はこれに限るものではなく、例えば、中央の一本を形成せずに、左右二本の突条４１とすることもできる。
【実施例２】
【００５２】
図１６は本発明の実施例２に係るＩＣタグ保持具Ｓの分解状態を示す斜視図、図１７は同実施例２に係るＩＣタグ保持具Ｓの（１）正面図及び（２）背面図、図１８は同実施例２に係るＩＣタグ保持具Ｓの（１）右側面図（左側面図は右側面図と対称につき省略。）及び（２）平面図、図１９は同実施例２に係るＩＣタグ保持具Ｓの（１）底面図及び（２）Ｆ−Ｆ断面図、図２０は（１）同実施例２に係るＩＣタグ保持具２にＩＣタグを収納した状態を示す説明断面図、及び（２）同実施例２に係るＩＣタグ保持具の分解状態を示す説明断面図、図２１は同実施例２に係るＩＣタグ保持具の蓋体３を示す（１）正面図（背面図、右側面図、左側面図は正面図と同一につき省略。）及び（２）平面図、図２２は同実施例２に係るＩＣタグ保持具の蓋体３を示す（１）底面図及び（２）Ｇ−Ｇ断面図、図２３は同実施例２に係るＩＣタグ保持具の基体２を示す（１）正面図（背面図、右側面図、左側面図は正面図と同一につき省略。）及び（２）平面図、図２４は同実施例２に係るＩＣタグ保持具の基体２を示す（１）底面図及び（２）Ｊ−Ｊ断面図である。
【００５３】
本実施例２に係るＩＣタグ保持具Ｓは、図１６乃至図２０に示すように、合成樹脂製の保持具本体１と、合成樹脂製の保持具用面ファスナー４とからなる、幅及び奥行が１８ｍｍ、高さ１０ｍｍ程度のＩＣタグ保持具であり、５ｍｍ四方程度の大きさのＩＣタグを保持するものである。
【００５４】
本実施例２に係る保持具本体１は、基体２及び蓋体３からなる。これらは高周波溶着によって相互に溶着することを前提とした構成である。以下に、基体２及び蓋体３について説明する。本実施例２においても、実施例１と同様に、本保持具本体１を使用する際には、前記保持具用面ファスナー４と係合する対象物用面ファスナーが６必要となる。また、対象物用面ファスナー６は、実施例１と同様に、取付対象物７に接着する。接着は、対象物用面ファスナー６の片面に接着剤層６１を備えた構成とすることもできるし、取付対象物７と対象物用面ファスナー６との間に接着剤を塗布することもできる。
【００５５】
本実施例２における保持具本体１を構成する基体２は、図２３及び図２４に示すように、略円柱体形状で、上部において円周状に開口する基体溝部２１６を備える。該基体溝部２１６が円筒輪郭の空間を形成することで、その内側が保持部２１となる。尚、前記のように本実施例２の基体２の形状は、略円柱体形状として説明したが、厳密には、基体２の側周面には抜き勾配角度を形成したことによって部分的に上方へ向かって徐々に縮径した形状を有する。
【００５６】
保持部２１は、前記基体溝部２１６の円筒輪郭の空間によって仕切られる柱状部２１０を形成し、該柱状部２１０の上端面２１１に、格納凹部２１２を形成してある。上端面２１１は、蓋体３との溶着時において、蓋体３の底面３００と当接する高さとしている。尚、柱状部２１０の上端面２１１は、ＩＣタグ５を収納する格納凹部２１２と近接するため、溶着箇所とはならない。一方、格納凹部２１２の底面である凹部底面２１４から基体２の底面までの距離ｈ１は、７ｍｍの長さを有する。
【００５７】
本実施例２においては、実施例１における取出補助部２１３を形成していない。本実施例では蓋体３を基体２の上部に溶着し、再度ＩＣタグ５を取出すことがないためである。
【００５８】
本実施例２における基体２の基体溝部２１６よりも外側となる上面は、蓋体３との溶着箇所となる基体溶着部２１５としている。溶着部２１５には溶着時に溶融固着するための突出部２１７を設けてある。
【００５９】
本実施例２における蓋体３は、図２１及び図２２に示すように、その底面３００のうち、前記基体２の基体溶着部２１５に対応する位置を蓋体溶着部３０１とする。蓋体３の上面中央位置は、肉厚が大きい保護凸部３０２を形成してあり、格納されるＩＣタグ５に対する耐衝撃性能を向上させる。
【００６０】
また、蓋体３の底面のうち、蓋体溶着部から内側を含む円周状位置を、底面の中央部よりも厚みの小さい蓋体底面凹部３０３としている。
【００６１】
本実施例２に係るＩＣタグ保持具Ｓは、図１６乃至図２０に示すように、夫々別個に樹脂成型によって得られる基体２と蓋体３と保持具用面ファスナー４を、高周波溶着手段により固着一体とする。一旦基体２と蓋体３を固着すると、図１９（２）に示すように、破壊しない限り、基体２と蓋体３とを分離できないから、基体２と蓋体３との固着を行う前に、基体２の格納凹部２１０内にＩＣタグ５を格納する。
【００６２】
前記基体溝部２１６は、溶着時に基体溶着部２１５で発生する熱が格納凹部２１２へ伝達するのを遮断する役割と、溶着時に溶融した樹脂を受容し、溶着時の保持具本体１の変形を防止する役割を兼ね備える。
【００６３】
前記基体２と蓋体３との固着は、基体２の基体溶着部２１５と蓋体３の蓋体溶着部３０１とを、高周波溶着手段により行う。蓋体３の底面３００の中央部が、基体２の上端面２１１に当接する状態まで、基体溶着部２１５と蓋体溶着部３０１を圧接し、溶着する。
【００６４】
この際に、基体２の縁部２０１と蓋体３の底面３００の縁部３０４が当接し、且つ、蓋体底面凹部３０３と基体溝部２１６の空間が繋がることで、溶融した樹脂が、基体溝部２１６側へ移動し、溶着時の保持具本体１の変形が防止され、ＩＣタグに熱の影響を与えることなく、基体２と蓋体３とが強固に溶着する。
【００６５】
また、基体２と保持具用面ファスナー４との固着は、保持具用面ファスナー４のファスナー基板４０の上面４００と、これに対応する基体２の底面とを、高周波溶着手段により行う。
尚、基体２、蓋体３、保持具用面ファスナー４の固着は、基体２と蓋体３を先に固着することもできるし、基体２と保持具用面ファスナー４とを先に固着することもできる。
【実施例３】
【００６６】
更に、実施例３として図２６に示すように、実施例２に係るＩＣタグ保持具Ｓと同一形状のＩＣタグ保持具Ｓを、蓋体３と保持具用面ファスナー４を予め一体成形することで、形成することもできる。
【００６７】
本実施例１における基体２の底面から格納凹部２１２の凹部底面２１４までの距離ｈ１である６．５ｍｍ、及び実施例２、実施例３における基体２の底面から格納凹部２１２の凹部底面２１４までの距離ｈ１である７．０ｍｍの具体的な数値は、取付対象物７である鉄骨に取付けた状態で、電磁波による阻害を受けないことを確認できた数値である。本発明における距離Ｈの具体的な数値は、取付対象物の材質、大きさ等によって定まるものであり、本発明に係るＩＣタグ保持具の基体２の底面から格納凹部２１２の凹部底面２１４までの距離ｈ１は、適宜、取付対象物に応じた個別具体的な数値を定めることができる。取付対象物７が鉄骨である条件下では、基体２の底面から格納凹部２１２の凹部底面２１４までの距離ｈ１が概ね６．５ｍｍ乃至７ｍｍ以上であれば、保持具用面ファスナー４のファスナー基板４０の突出量ｈ２が約０．５ｍｍ以上であることから、取付対象物７の表面から凹部底面２１４までの距離Ｈを７ｍｍ以上を確保でき、電磁波による阻害を受けないと考えられる。勿論数値は大きいほど電磁波による阻害を確実に防止できるが、数値を大きくすると、ＩＣタグ保持具Ｓの高さ寸法が大きくなり、他物との接触等の危険性が高くなる為、取付対象物７の表面から格納凹部２１２の凹部底面２１４までの距離Ｈは概ね７ｍｍ乃至１０ｍｍ程度であることが望ましい。
【図面の簡単な説明】
【００６８】
【図１】本発明の実施例１に係るＩＣタグ保持具ＳにおけるＩＣタグ格納前の分解状態を示す斜視図である。
【図２】本発明の実施例１に係るＩＣタグ保持具Ｓの（１）正面図及び（２）背面図である。
【図３】本発明の実施例１に係るＩＣタグ保持具Ｓの（１）右側面図及び（２）平面図である。
【図４】本発明の実施例１に係るＩＣタグ保持具Ｓの（１）底面図及び（２）Ａ−Ａ断面図である。
【図５】本発明の実施例１に係るＩＣタグ保持具Ｓにおける基体２のＢ−Ｂ断面図である。
【図６】本発明の実施例１に係るＩＣタグ保持具Ｓにおける基体２の（１）正面図及び（２）背面図である。
【図７】本発明の実施例１に係るＩＣタグ保持具Ｓにおける基体２の（１）右側面図及び（２）平面図である。
【図８】本発明の実施例１に係るＩＣタグ保持具Ｓにおける基体２の（１）底面図及び（２）Ｃ−Ｃ断面図である。
【図９】本発明の実施例１に係るＩＣタグ保持具Ｓにおける蓋体３の（１）正面図及び（２）背面図である。
【図１０】本発明の実施例１に係るＩＣタグ保持具Ｓにおける蓋体３の（１）右側面図及び（２）平面図である。
【図１１】本発明の実施例１に係るＩＣタグ保持具Ｓにおける蓋体３の（１）底面図、（２）Ｄ−Ｄ断面図及び（３）Ｅ−Ｅ断面図である。
【図１２】本発明の実施例１に係るＩＣタグ保持具Ｓにおける保持具用面ファスナーの（１）正面図及び（２）右側面図である。
【図１３】本発明の実施例１に係るＩＣタグ保持具Ｓにおける保持具用面ファスナーの（１）平面図及び（２）底面図である。
【図１４】本発明の実施例１に係るＩＣタグ保持具Ｓを（１）取付対象物７に取着する前の状態を示す説明図、（２）取付対象物に取着した状態を示す一部断面とした説明図である。
【図１５】本発明の他の実施例に係るＩＣタグ保持具ＳにおけるＩＣタグ格納前の分解状態を示す斜視図である。
【図１６】本発明の実施例２に係るＩＣタグ保持具Ｓの分解状態を示す斜視図である。
【図１７】本発明の実施例２に係るＩＣタグ保持具Ｓの（１）正面図及び（２）背面図である。
【図１８】本発明の実施例２に係るＩＣタグ保持具Ｓの（１）右側面図及び（２）平面図である。
【図１９】本発明の実施例２に係るＩＣタグ保持具Ｓの（１）底面図及び（２）Ｆ−Ｆ断面図である。
【図２０】本発明の（１）同実施例２に係るＩＣタグ保持具ＳにＩＣタグを収納した状態を示す説明断面図、及び（２）同実施例２に係るＩＣタグ保持具の分解状態を示す説明断面図である。
【図２１】本発明の実施例２に係るＩＣタグ保持具Ｓの蓋体３を示す（１）正面図及び（２）平面図である。
【図２２】本発明の実施例２に係るＩＣタグ保持具Ｓの蓋体３を示す（１）底面図及び（２）Ｇ−Ｇ断面図である。
【図２３】本発明の実施例２に係るＩＣタグ保持具Ｓの基体２を示す（１）正面図及び（２）平面図である。
【図２４】本発明の実施例２に係るＩＣタグ保持具Ｓの基体２を示す（１）底面図及び（２）Ｊ−Ｊ断面図である。
【図２５】本発明の実施例２に係るＩＣタグ保持具Ｓを（１）取付対象物７に取着する前の状態を示す説明図、（２）取付対象物に取着した状態を示す一部断面とした説明図である。
【図２６】本発明の実施例３に係るＩＣタグ保持具Ｓの組立前状態を示す縦断面図である。
【符号の説明】
【００６９】
１        保持具本体
２        基体
２０      基体中央板
２００    上面
２１      保持部
２１０    柱状部
２１１    上端面
２１２    格納凹部
２１３    取出補助部（実施例１）
２１４    凹部底面
２１５    基体溶着部（実施例２）
２１６    基体溝部（実施例２）
２１７    突出部（実施例２）
２２      係合溝（実施例１）
２２０    係合溝幅寸法（実施例１）
２２１    溝内幅寸法（実施例１）
２２２    開口部（一端側）（実施例１）
２２３    開口部（他端側）（実施例１）
２３      底面
２４      張り出し部（左右）（実施例１）
２５      基体係合部（実施例１）
２５０    係合爪（実施例１）
２６      張り出し部（後端）（実施例１）
２７      突当壁（実施例１）
３        蓋体
３０      蓋体基板（実施例１）
３００    底面
３０１    蓋体溶着部（実施例２）
３０２    保護凸部（実施例２）
３０３    蓋体底面凹部（実施例２）
３０４    縁部（実施例２のみ）
３２      嵌合凹部（実施例１）
３３      閉塞壁（実施例１）
３５      蓋体係合部（実施例１）
３５０    係合段部（実施例１）
４        保持具用面ファスナー
４０      ファスナー基板
４００    上面
４０１    下面
４１      突条（実施例１）
４１０    突条抜止部（実施例１）
４２      雄係合子
４２０    フック（中央）（実施例１）
４２１    フック（下端）（実施例１）
５        ＩＣタグ
ｈ１      距離（基体２の底面から凹部底面２１４まで）
ｈ２      突出量
Ｈ        距離（取付対象物の表面から凹部底面２１４まで）
Ｓ        ＩＣタグ保持具
Ｗ１      対向する内側面間寸法（実施例１）
Ｗ２      ファスナー基板の幅寸法（実施例１）
６        対象物用面ファスナー
６０      雌係合子
６１      接着剤層
６２      ファスナー基板
７        取付対象物
【図１】
2009151652.tif 000003
【図２】
2009151652.tif 000004
【図３】
2009151652.tif 000005
【図４】
2009151652.tif 000006
【図５】
2009151652.tif 000007
【図６】
2009151652.tif 000008
【図７】
2009151652.tif 000009
【図８】
2009151652.tif 000010
【図９】
2009151652.tif 000011
【図１０】
2009151652.tif 000012
【図１１】
2009151652.tif 000013
【図１２】
2009151652.tif 000014
【図１３】
2009151652.tif 000015
【図１４】
2009151652.tif 000016
【図１５】
2009151652.tif 000017
【図１６】
2009151652.tif 000018
【図１７】
2009151652.tif 000019
【図１８】
2009151652.tif 000020
【図１９】
2009151652.tif 000021
【図２０】
2009151652.tif 000022
【図２１】
2009151652.tif 000023
【図２２】
2009151652.tif 000024
【図２３】
2009151652.tif 000025
【図２４】
2009151652.tif 000026
【図２５】
2009151652.tif 000027
【図２６】
2009151652.tif 000028